(57)【特許請求の範囲】
【請求項１】
吸込口、排気口、集塵体、電動送風機および該電動送風機を駆動する二次電池とを有する掃除機本体と、該掃除機本体と着脱自在に形成され、前記二次電池を充電する充電回路を有するＡＣアダプタ体と、を備えた電気掃除機において、
前記ＡＣアダプタ体は、該ＡＣアダプタ体と前記掃除機本体のドッキング時に、前記二次電池を空冷する冷却用送風機と、
ドッキング用凸部とを有し、
前記掃除機本体は、前記ドッキング用凸部が挿入自在の接続口を有し、
前記接続口に、開閉弁体を開閉自在に備えたことを特徴とする電気掃除機。
【請求項２】
前記ＡＣアダプタ体と前記掃除機本体のドッキング時に、二次電池は、冷却用送風機の上流側になるように配置したことを特徴とする請求項１記載の電気掃除機。
【請求項３】
掃除機本体は、二次電池２４の温度を検出する温度検出手段と、
前記二次電池の充電電圧を検出する電圧検出手段とを備え、
前記二次電池の充電時、前記温度検出手段により前記二次電池のあらかじめ定められた温度上昇の変化、または、前記電圧検出手段により前記二次電池のあらかじめ定められた充電電圧上昇の変化が検出されたとき、冷却用送風機の運転を開始させたことを特徴とする請求項１または２記載の電気掃除機。
【請求項４】
二次電池の充電時、充電完了後も、あらかじめ定められた時間、または、二次電池の温度があらかじめ定められた温度になるまで、冷却用送風機の運転を続けたことを特徴とする請求項１〜３のいずれかに記載の電気掃除機。
【請求項５】
ＡＣアダプタ体と掃除機本体がドッキングしたときに、ドッキング用凸部の先端に形成された中間接続口が、二次電池を収納する電池ケース体に設けられた冷却口に連結されたことを特徴とする請求項１〜４のいずれかに記載の電気掃除機。
【請求項６】
ドッキング用凸部の内側を、二次電池の空冷用の風路としたことを特徴とする請求項は１〜５のいずれかに記載の電気掃除機。
【請求項７】
ドッキング用凸部に二次電池への電源供給用の接続端子板Ａを設け、  電池収納ケース体に接続端子板Ａと電気的に着脱自在に接続弾性板Ａを備えたことを特徴とする請求項１〜６のいずれかに記載の電気掃除機。
【請求項８】
開閉弁体に、排気口を形成したことを特徴とする請求項１〜７のいずれかに記載の電気掃除機。
【請求項９】
掃除機本体とＡＣアダプタ体のドッキング時において、二次電池への通電をＯＮ状態とするスイッチを備えたことを特徴とする請求１〜８のいずれかに記載の電気掃除機。
【発明の詳細な説明】
【０００１】
【発明の属する技術分野】
この発明は、掃除機本体に内蔵された二次電池を効率的に充電するＡＣアダプタ体とを備えた電気掃除機に関する。
【０００２】
【従来の技術】
図１３は例えば特開昭６３−２６２１１８号公報に開示されている従来のコードレスクリナーの断面図である。図において、１は掃除機本体、９は吸気口、５８は排気口、６はハンドル、１１は集塵体、５４は電動機、６０はファン、２４は二次電池、３０はサーモスタットである。５６は二次電池２４からの出力電流をオン・オフするスイッチである。
【０００３】
図１４はコードレスクリーナーの回路図である。図において１は掃除機本体、５９は直流電源部である。この直流電源部５９において、５１はフューズＴＦ１を介して商用電源ＡＣに接続された降圧トランス、Ｄ１、Ｄ２は降圧トランス５１の二次コイルに接続され全波整流回路を構成するダイオード、Ｃ１はダイオードＤ１、Ｄ２にフューズＴＦ２を介して接続された平滑コンデンサである。
【０００４】
掃除機本体１において、２４は充電可能な二次電池でサーモスタットＴＳ及びサイリスタＳＣＲを介して直流電源部５９に接続される。Ｃ２は二次電池２４とサイリスタＳＣＲの間に抵抗Ｒ１及びダイオードＤ３を介して接続されたコンデンサ、Ｒ２、Ｒ３はコンデンサＣ２の放電抵抗、ＺＤはコンデンサＣ２の充電電位設定するツエナダイオード、ＬＥＤは抵抗Ｒ４及びトランジスタＴＲ１を介して直流電源部５９に接続された発光ダイオード、５４はスイッチＳＷを介して二次電池２４に接続された電動機である。
【０００５】
この構成において、ファン６０により吸気口９から吸い込まれた空気は集塵体１１を通り、一方は電動機５４に達し、これを冷却し、他方は二次電池２４に達し、これらをこれを冷却する。このようにして、電動機５４、二次電池２４の熱交換により温度の高くなった空気は排気口５８から排気される。
また、サーモスタットＳＴは二次電池が満充電される所定の温度になると開放し、サイリスタＳＣＲを非導通とする。このときコンデンサＣ２は充電されサイリスタＳＣＲのゲート電圧を高電圧に保持し、サーモスタットＳＴが閉放してもサイリスタＳＣＲを非導通に保持する。また、トランジスタＴＲ１が導通し、発光ダイオードＬＥＤが点灯する。
このように、使用中に二次電池２４及びサーミスタＳＴの温度が上がらないようにして、使用後すぐ充電を行っても、満充電時の検出が確実に行われるようにしたものである。
【０００６】
【発明が解決しようとする課題】
従来のコードレスクリーナーは上記のように使用中の放電時においてのみ、電動送風機からの排気で二次電池を空冷しており、充電時においては、特に強制空冷をせずに二次電池の発熱を自然冷却してるので、特に急速充電時、充電満了時には、二次電池の発熱が多くなることが予想される。そして、この発熱で二次電池の温度が上昇すると二次電池の寿命に影響がある。
また、一般に充電温度が高いと正極からの酸素発生が起こり易く補充が不十分になり充電効率が低下する問題がある。
【０００７】
充電時の温度においては、充電の初期あるいは、中期において、電池温度の上昇は少ないが終期には二次電池の正極からのガス発生熱により二次電池温度が上昇する。
この場合、二次電池構成部品の劣化が進行し、二次電池寿命の低下につながるといわれ、充電温度は１０℃〜３０℃が望ましいと言われており、４５℃以上になると二次電池の寿命に対する影響が大きくなる。
例えば、一般に使用される急速充電用のニッケル・カドミウム二次電池を定電流充電をすると、図１５に示すように、充電時間とともに徐々に電圧Ｖが上昇していくが、充電完了期になると電池電圧Ｖはピーク値に達した後、逆に低下し始める。このとき一定時間当たりの二次電池２４の表面温度Ｔも充電完了期になると急激に上昇し、ピーク値に達した後低下し始める。このピーク時に、二次電池２４の表面温度Ｔが４５℃以上になる場合がある。特に、室温が高いときにこの傾向になる。
【０００８】
なお、充電制御は、二次電池電圧Ｖのピーク値に対する低下分の−ΔＶ電圧を検出し充電完了（ｔ０）とする充電制御する−ΔＶ電圧制御、また、一定時間当たりの二次電池２４の表面温度Ｔの上昇勾配を検出して充電制御を行うｄＴ／ｄｔ制御等が行われている。
【０００９】
また、図１６は、二次電池の放電完了直後に充電を開始したときの状態を示しているが、二次電池の放電完了直後は二次電池温度が上昇しており、放電完了用直後の状態で、充電を開始すると、温度が高いため充電効率が悪い。
【００１０】
この発明は、このような問題点を解決するためになされたものであり、ＡＣアダプタの二次電池の充電時、簡単な風路により効率的に冷却して、二次電池の高温化を防止して、二次電池の長寿命を図ることができ、また、ＡＣアダプタと掃除機本体との機械的、電気的な着脱が簡単であり、信頼性及び安全性の高い電気掃除機を提供することを目的とする。
【００１１】
【課題を解決するための手段】
この発明に係る電気掃除機は、吸込口、排気口、集塵体、電動送風機および該電動送風機を駆動する二次電池とを有する掃除機本体と、該掃除機本体と着脱自在に形成され、前記二次電池を充電する充電回路を有するＡＣアダプタ体と、を備えた電気掃除機において、前記ＡＣアダプタ体は、該ＡＣアダプタ体と前記掃除機本体のドッキング時に、前記二次電池を空冷する冷却用送風機と、ドッキング用凸部とを有し、前記掃除機本体は、前記ドッキング用凸部が挿入自在の接続口を有し、前記接続口に、開閉弁体を開閉自在に備える。
【００１２】
また、前記ＡＣアダプタ体と前記掃除機本体のドッキング時に、二次電池は、冷却用送風機の上流側になるように配置したものである。
【００１３】
また、掃除機本体は、二次電池２４の温度を検出する温度検出手段と、前記二次電池の充電電圧を検出する電圧検出手段とを備え、前記二次電池の充電時、前記温度検出手段により前記二次電池のあらかじめ定められた温度上昇の変化、または、前記電圧検出手段により前記二次電池のあらかじめ定められた充電電圧上昇の変化が検出されたとき、冷却用送風機の運転を開始させたものである。
【００１４】
また、二次電池の充電時、充電完了後も、あらかじめ定められた時間、または、二次電池の温度があらかじめ定められた温度になるまで、冷却用送風機の運転を続けたものである。
【００１６】
また、ＡＣアダプタ体と掃除機本体がドッキングしたときに、ドッキング用凸部の先端に形成された中間接続口が、二次電池を収納する電池ケース体に設けられた冷却口に連結されたものである。
【００１７】
また、ドッキング用凸部の内側を、二次電池の空冷用の風路としたものである。
【００１８】
また、ドッキング用凸部に二次電池への電源供給用の接続端子板Ａを設け、電池収納ケース体に接続端子板Ａと電気的に着脱自在に接続弾性板Ａを備える。
【００２０】
また、開閉弁体に、排気口を形成したものである。
【００２１】
また、掃除機本体とＡＣアダプタ体のドッキング時において、二次電池への通電をＯＮ状態とするスイッチを備える。
【００２２】
【発明の実施の形態】
図１は実施の形態を示す電気掃除機の斜視図、図２は掃除機本体の斜視図、図３は掃除機本体の部分断面図、図４は電池ケース体の斜視図、図５は二次電池の組立を示す斜視図、図６はＡＣアダプターの斜視図、図７は電気掃除機の部分断面図、図８は電気掃除機の回路図、図９は充電時の制御を示すブロック図、図１０、１１は電池の充電時における電池電圧と電池の温度の変化を示す図である。
【００２３】
図１〜５において、１は掃除機本体、２１はＡＣアダプタ体であり、掃除機本体１においては、２は蓋、３は車輪、４は排気口、５はバンバー、６はハンドル、７はＡＣアダプタ体２１と接続される接続口、８は接続口７を開閉する開閉弁体、９は掃除機本体１の吸気口、１０は吸気口９に一端が接続され、他端に図示してない吸込具が接続されるホース、１１は集塵体、１２は集塵室、１３は電動送風機、１４は仕切壁、５５は表示灯である。
【００２４】
２３は電池ケース体であり、内部に二次電池２４、制御基板２５が搭載されている。また、二次電池ケース体２３に設けられた凹部３７に、冷却口３６、冷却口３６の縁に設けられたシール用パッキン３８、接続弾性板Ａ２６が設けられている。３９は接続端子板Ｂである。
【００２５】
２７は電池ケース体２３の接続端子板Ｂと接続される接続弾性板Ｂ、２８は接続弾性板Ａ２６と制御基板２５の部品とを接続するリード線、２９は接続弾性板Ｂ２７と電動送風機１３とを接続するリード線である。
二次電池は図５に示すようにスペーサー４６により、各々の二次電池２４の間に隙間Ｓを設けるように固定され、接続端子板４７で正負極が接続されている。
４８はリード線である。
【００２６】
ＡＣアダプタ体２１においては、図６、７に示すように、４１は掃除機本体１とドッキングするときに、掃除機本体１の接続口７に挿入され、先端に中間接続口４２を有し、内側に風路を有する筒状のドッキング用凸部、４３は接続口４２に設けられた集塵体、４４は電池ケース体２３の接続弾性板Ａ２６と接続される接続端子板Ａ、４５は電源コード、３７は降圧トランス、３１は二次電池２４を風路３６を介して冷却し、ファン３２を有する冷却送風機、３３は定電流制御回路５３、駆動スイッチ５７等が搭載された充電制御基板、３４は掃除機本体１とドッキングしたときに、電源をオンとする押圧スイッチ、２２は冷却排気口、３５は脚である。
【００２７】
図８において、１は掃除機本体、２１はＡＣアダプタ体である。掃除機本体１において、２４は二次電池であり、制御基板２５、接続弾性板Ａ２６及びＡＣアダプタ体２１側の接続端子板Ａ４４を介してＡＣアダプタ本体２１に接続される。電動送風機１３はスイッチ５６、電池ケース体２３の接続端子板Ｂ３９、掃除機本体１側の接続弾性板Ｂ２７を介して二次電池２４に接続されている。５５は充電状態を表示する表示灯でありＬＥＤを使用している。
【００２８】
ＡＣアダプタ体２１において、５１は押圧スイッチ３４を介して商用電源ＡＣに接続された降圧トランス、５２は整流回路、５３は定電流制御回路であり、冷却用送風機３１は降圧トランス５１の二次コイルに駆動スイッチ５７を介して接続されている。駆動スイッチ５７は接続弾性板Ａ２６及び接続端子板Ａ４４を介して制御基板２５に接続されている。
【００２９】
図９は充電時に関連する回路のブロック図であり、図８と同一部分には同じ符号を付し、説明を省略する。２５ａは二次電池２４の温度を検出する温度検出手段であり、サーミスタ等の温度センサが使用される。２５ｂは二次電池の充電電圧を検出する電圧検出手段、２５ｃは温度検出手段２５ａ、電圧検出手段２５ｂの検出信号に基づいて、冷却用送風機３１、定電流制御回路５３を制御し、充電状態を表示灯５５に表示させる充電制御手段である。なお、温度検出手段２５ａは制御基板２５に搭載する場合を示したが、二次電池２４に直接取り付けるのが望ましい。
【００３０】
次に、動作を図１〜１１により説明する。まず、二次電池２４を、図５に示すように、スペーサー４により、二次電池間のすきまＳとなるように固定し、接続端子板４７で二次電池２４を接続し、電池ケース体２３に収納する。そして、電池ケース体２３を掃除機本体１に収納する。このとき、電動送風機１３からの接続弾性板ｂ２７が電池ケース体２３の接続端子板ｂ３９に接続される。
【００３１】
次に、二次電池２４を充電する場合は、ＡＣアダプタ体１の電源コード４５をコンセントに差し込み、掃除機本体１の開閉弁体８にＡＣアダプタ体２１のドッキング用凸部４１を押し当てて開きながら、接続口７に、ＡＣアダプタ体２１のドッキング用凸部４１を挿入する。そして、ドッキング用凸部４１の中間接続口４２を掃除機本体に収納された電池ケース体２３の凹部３７のシール用パッキン３８に押しつけて密着させる。このとき、ドッキング用凸部４１の接続端子板Ａと電池ケース体２３の接続弾性板Ａ２６が接続され、また、ＡＣアダプタ体２１の商用電源用の押圧スイッチ３４がオンとなり、充電を開始する。
【００３２】
充電が開始されると、電圧検出手段２５ｂにより充電電圧が検出されるが、図１０に示すように二次電池２４の充電電圧Ｖが上昇していくが、充電完了期になると電池電圧Ｖはピーク値に達した後低下し始める。また、温度検出手段２５ａにより検出された二次電池２４の一定時間当たりの表面温度Ｔも充電完了期になると上昇し、ピーク値に達した後低下し始める。
二次電池２４がピーク値になる前の電圧Ｖの上昇△Ｖが検出されたとき（ｔｓ）、充電制御手段２５Ｃが駆動スイッチ５７をオンとして冷却用送風機３１を駆動させる。なお、図１５において、ｔ0は満充電時刻、ｔxは充電完了時刻を示す。
【００３３】
冷却用送風機３１が駆動すると、掃除機本体１の排気口４から外気が吸引され、電池ケース体２３の吸気口４０ａから内部に入り込む。そして各々の二次電池２４の間に設けられた隙間Ｓを流れて二次電池２４の外表面を冷却し、電池ケース２３の冷却口３６、ＡＣアダプタ体２１のドッキング用凸部４１の風路３６を介しＡＣアダプタ体２１の冷風送風機３１に吸引され一方の冷却排気口２２から排気される。また、充電制御基板３３、降圧トランス３７を冷却し他方の冷却排気口２２から排気される。
【００３４】
二次電池２４はこのように冷却されるので、充電完了期に温度が急激に上昇することがなく、ピーク値も低くなり室温に近い温度にできるだけ近づける。
電圧検出手段２５ａが−△Ｖを検出し（ｔ0）、さらに一定時間が経過したとき（ｔx）、充電完了として充電制御手段２５ｃは表示灯５５を点灯させる。
さらに、常温（室温）になるまで（あらかじめ定められた時間経過したときに）（ｔE）、充電制御手段２５Ｃが駆動スイッチ５７をオフとして冷却用送風機３１を停止させるとともに、定電流回路５３からの二次電池２４への充電電流の入力を停止させる。
【００３５】
なお、冷却用送風機３１を駆動させる時期（ｔｓ）は、電圧Ｖの上昇△Ｖが検出されたときでなく、二次電池２４の表面温度Ｔの上昇（△Ｔ）が温度検出手段２５ｂで検出されたときでもよい。
また、二次電池２４の放電完了直後に充電を開始したときに、図１１に示すように、二次電池温度２４の温度Ｔが点線で示すように常温より上昇している場合、温度検出手段２５ａの出力に基づいて、充電制御手段２５ｃは冷却用送風機３１を最初から駆動させて、二次電池温度２４の温度Ｔを実線のように常温に近づけるようにする。このように、電圧検出手段２５ｂのみでなく温度検出手段２５ａを併用するのが望ましい。
【００３６】
次に、ＡＣアダプタ体２１から掃除機本体１を外すと、開閉弁体８が接続口７を塞ぎ、押圧スイッチ３４がオフとなり商用電源が遮断される。
【００３７】
なお、本実施の形態では二次電池２４を、冷却用送風機の上流側に設けているが、二次電池２４が十分空冷できれば下流側に設けてもよい。
また、制御基板２５はＡＣアダプタ体２１に設けてもよい。
【００３８】
次に、掃除をするときは、スイッチ５６をオンとして電動送風機１３を駆動させる。吸込具（図示せず）から塵埃とともに吸引された外気は集塵体１１、電動送風機１３を通過し排気口４から排気され、また、電動送風機１３から電池ケース体２３の吸気口４０ａから内部に入り込み、二次電池２４を冷却して排気口４０ｂ、冷却口３６から出て掃除機本体１の排気口４から排気される。
なお、図１２に示すように開閉弁体８に排気口８ａを設けて、ここからも排気するようにしてもよい。
【００３９】
【発明の効果】
以上のように、この発明によれば、吸込口、排気口、集塵体、電動送風機および該電動送風機を駆動する二次電池とを有する掃除機本体と、該掃除機本体と着脱自在に形成され、前記二次電池を充電する充電回路を有するＡＣアダプタ体と、を備えた電気掃除機において、前記ＡＣアダプタ体は、該ＡＣアダプタ体と前記掃除機本体のドッキング時に、前記二次電池を空冷する冷却用送風機と、ドッキング用凸部とを有し、前記掃除機本体は、前記ドッキング用凸部が挿入自在の接続口を有し、前記接続口に、開閉弁体を開閉自在に備えたので、ＡＣアダプタの二次電池の充電時、二次電池の高温化を防止して、二次電池の長寿命を図ることができる。
また、ドッキング凸部が、掃除機本体に有する接続口に挿入されることで、ＡＣアダプタ体が傾斜した床面に置かれても掃除機本体が倒れたり、移動することがない、また、ドッキング時でも、本体が傾倒しないようにすることができる。
また、掃除機本体の使用時等において、電池ケース体の接続弾性板Ａに触れないようにすることができる。
【００４０】
また、前記ＡＣアダプタ体と前記掃除機本体のドッキング時に、二次電池は、冷却用送風機の上流側になるように配置したので、降圧トランスや充電回路基板を形成する発熱素子ならびに冷却用送風機等の熱を受けずに二次電池を空冷できるので、空冷効果が良い。
【００４１】
また、掃除機本体は、二次電池２４の温度を検出する温度検出手段と、前記二次電池の充電電圧を検出する電圧検出手段とを備え、前記二次電池の充電時、前記温度検出手段により前記二次電池のあらかじめ定められた温度上昇の変化、または、前記電圧検出手段により前記二次電池のあらかじめ定められた充電電圧上昇の変化が検出されたとき、冷却用送風機の運転を開始させたので、二次電池の高温状態を効率良く空冷し、長寿命化を図ることができる。
【００４２】
また、二次電池の充電時、充電完了後も、あらかじめ定められた時間、または、二次電池の温度があらかじめ定められた温度になるまで、冷却用送風機の運転を続けたので、二次電池の高温状態を効率良く空冷し、長寿命化を図ることができる。
【００４４】
また、ＡＣアダプタ体と掃除機本体がドッキングしたときに、ドッキング用凸部の先端に形成された中間接続口が、二次電池を収納する電池ケース体に設けられた冷却口に連結されたので、冷却用送風機が運転されると、外気が掃除機本の排気口、電池ケース体の吸気口を介して電池ケース体内に入り込み、後電池を空冷し、全ての外気が洩れることなく冷却口から中間接続口を通過し、冷却用送風機に吸引されていくので、電池の空冷効果が向上する。
【００４５】
また、ドッキング用凸部の内側を、二次電池の空冷用の風路としたので、別に空冷用の風路を設ける必要がない。
【００４６】
また、ドッキング用凸部に二次電池への電源供給用の接続端子板Ａを設け、電池収納ケース体に接続端子板Ａと電気的に着脱自在に接続弾性板Ａを備えたので、掃除機本体とＡＣアダプタ体とのドッキングと同時に接続弾性板Ａ部と電気的に接続される。
【００４８】
また、開閉弁体に、排気口を形成したので、電池の空冷効果が向上する。
【００４９】
また、掃除機本体とＡＣアダプタ体のドッキング時において、二次電池への通電をＯＮ状態とするスイッチを備えたので、中間接続口に設けられた接続端子板に触れないようにすることができる。
【図面の簡単な説明】
【図１】  この発明の実施の形態を示す電気掃除機の斜視図である。
【図２】  この発明の実施の形態を示す掃除機本体の斜視図である。
【図３】  この発明の実施の形態を示す掃除機本体の部分断面図である。
【図４】  この発明の実施の形態を示す電気掃除機の電池ケース体の斜視図である。
【図５】  この発明の実施の形態を示す電気掃除機の二次電池の組立を示す斜視図である。
【図６】  この発明の実施の形態を示す電気掃除機の ＡＣアダプターの斜視図である。
【図７】  この発明の実施の形態を示す電気掃除機の部分断面図である。
【図８】  この発明の実施の形態を示す電気掃除機の回路図である。
【図９】 この発明の実施の形態を示す電気掃除機の制御を示すブロック図である。
【図１０】 この発明の実施の形態を示す電気掃除機の電池の充電時における電池電圧と電池の温度の変化を示す図である。
【図１１】 この発明の実施の形態を示す電気掃除機の電池の充電時における電池電圧と電池の温度の変化を示す図である。
【図１２】 この発明の実施の形態を示す電気掃除機の開閉弁体の部分拡大図である。
【図１３】  従来の電気掃除機の断面図である。
【図１４】従来の電気掃除機の回路図である。
【図１５】従来の電気掃除機の電池の充電時における電池電圧と電池の温度の変化を示す図である。
【図１６】 従来の電気掃除機の電池の充電時における電池電圧と電池の温度の変化を示す図である。
【符号の説明】
１  掃除機本体、４  排気口、７  接続口、８  開閉弁体、８ａ  排気口、９吸込口、１２  集塵体、１３  電動送風機、２１  ＡＣアダプタ体、２４  二次電池、２６  接続弾性板Ａ、３１  冷却用送風機、３４  押圧スイッチ、３６風路、４１  ドッキング用凸部、４２  中間接続口、４４  接続端子板Ａ。
【図１】
0003809601.tif 000002
【図２】
0003809601.tif 000003
【図３】
0003809601.tif 000004
【図４】
0003809601.tif 000005
【図５】
0003809601.tif 000006
【図６】
0003809601.tif 000007
【図７】
0003809601.tif 000008
【図８】
0003809601.tif 000009
【図９】
0003809601.tif 000010
【図１０】
0003809601.tif 000011
【図１１】
0003809601.tif 000012
【図１２】
0003809601.tif 000013
【図１３】
0003809601.tif 000014
【図１４】
0003809601.tif 000015
【図１５】
0003809601.tif 000016
【図１６】
0003809601.tif 000017